(57)【要約】【課題】骨伝導スピーカユニット単体からの音漏れを大きく改善すると共に、微鉄粉、塵芥の吸着や水分の浸入のおそれがない骨伝導スピーカユニットを提供することを課題とする。【解決手段】上面を開口したユニットケース１内に骨伝導スピーカ２が収納され、骨伝導スピーカ２の振動板３上に振動を伝達するためのコンタクト４が配設されたマグネチックタイプの骨伝導スピーカユニットであって、ユニットケース１の上面開口が通気性のある弾性膜５で閉塞される。【選択図】図１
2018193790.tif 000002
【特許請求の範囲】
【請求項１】
上面を開口したユニットケース内に骨伝導スピーカが収納され、前記骨伝導スピーカの振動板上に振動を伝達するためのコンタクトが配設されたマグネチックタイプの骨伝導スピーカユニットであって、
前記ユニットケースの上面開口が通気性のある弾性膜で閉塞されていることを特徴とする骨伝導スピーカユニット。
【請求項２】
前記弾性膜は防水・防塵性を備えている、請求項１に記載の骨伝導スピーカユニット。
【請求項３】
前記弾性膜は不織布又はメッシュシートである、請求項１又は２に記載の骨伝導スピーカユニット。
【請求項４】
上面を開口したユニットケース内に骨伝導スピーカが収納され、前記骨伝導スピーカの振動板上に振動を伝達するためのコンタクトが配設されたマグネチックタイプの骨伝導スピーカユニットであって、
前記ユニットケースの上面全周と前記コンタクトの裏面との間に通気性のある発泡樹脂材が配備され、前記発泡樹脂材によって前記ユニットケースが閉塞状態にされていることを特徴とする骨伝導スピーカユニット。
【請求項５】
前記発泡樹脂材は、連続発泡構造の通気性のある低発泡、高密度、高反発材で、撥水処理したものである、請求項４に記載の骨伝導スピーカユニット。
【発明の詳細な説明】
【技術分野】
【０００１】
本発明は骨伝導スピーカユニットに関するものであり、より詳細には、音漏れ防止機能の改善を図った骨伝導スピーカユニットに関するものである。
【背景技術】
【０００２】
骨伝導スピーカの使い方としては、スピーカを小型のケースに取り付けてスピーカユニットとして使用する方法が基本であり、スピーカユニットとして使用する場合の構成には、２つのタイプがある。そのうちの第１のタイプは、図５に示すような、振動板部をスピーカケースの内側に固定して、ケース全体を振動させる構造のものである（例えば、特許第３５５６１６８号公報）。このタイプの場合は、振動板のバネ性とヨーク部の重量により決定される共振周波数付近の出力を大きくすることができるという利点がある反面、全体の周波数範囲が狭くなるという欠点がある。【０００３】
第２のタイプは、図６に示されるような、骨伝導スピーカのヨーク側をケースに固定し、振動板上に振動を伝達するためのコンタクト部を配備し、コンタクト部を人体に押し当てることによって振動を伝達する構造のものである（この種骨伝導スピーカユニットを開示するものとしては、特許第４３６９９７６号公報、再表２０１４／０９７７４４号公報等がある。）。このタイプの特徴としては、スピーカの持つ周波数特性がそのまま伝達されることと、主に振動する部分は振動板部であるから、使用時の外部への音漏れが比較的小さくなることを挙げることができる。
【先行技術文献】
【特許文献】
【０００４】
【特許文献１】特許第３５５６１６８号公報
【特許文献２】特許第４３６９９７６号公報
【特許文献３】再表２０１４／０９７７４４号公報
【発明の概要】
【発明が解決しようとする課題】
【０００５】
一般に、骨伝導スピーカは音漏れが少ないと言われているが、スピーカ自体が振動体であるため、通常の使い方では実使用時の音漏れを大きく改善することは難しい。スピーカユニット単体での音漏れの原因を詳しく調べると、上記第１のタイプの場合には、スピーカケースそのものが振動するため、音漏れのレベルは、スピーカケースのサイズと出力で決まってしまう。【０００６】
また、試験の結果、第２のタイプの場合で音漏れが一番小さいのは、図６に示すような、ケースとコンタクト（振動板）との間に空間が保持されている構成の場合であることが分かった（後述する図４のユニット２の音漏れデータ参照）。この図６に示されるスピーカユニットの構造は、スピーカユニットとして最も単純な構造ということができる。しかし、その場合、スピーカユニットはマグネットで構成されているので微鉄粉、塵芥の吸着のおそれがあるところ、その構造においては、微鉄粉や塵芥の吸着、あるいは、水分の影響等について何らの対策も施されていない。【０００７】
そこで本発明は、骨伝導スピーカユニット単体からの音漏れを大きく改善すると共に、微鉄粉、塵芥の吸着や水分の浸入のおそれがない骨伝導スピーカユニットを提供することを課題とする。
【課題を解決するための手段】
【０００８】
上記課題を解決するための請求項１に記載の発明は、上面を開口したユニットケース内に骨伝導スピーカが収納され、前記骨伝導スピーカの振動板上に振動を伝達するためのコンタクトが配設されたマグネチックタイプの骨伝導スピーカユニットであって、前記ユニットケースの上面開口が通気性のある弾性膜で閉塞されていることを特徴とする骨伝導スピーカユニットである。【０００９】
一実施形態においては、前記弾性膜は防水・防塵性を備えたものであり、一実施形態においては、前記弾性膜は不織布又はメッシュシートである。【００１０】
上記課題を解決するための請求項４に記載の発明は、上面を開口したユニットケース内に骨伝導スピーカが収納され、前記骨伝導スピーカの振動板上に振動を伝達するためのコンタクトが配設されたマグネチックタイプの骨伝導スピーカユニットであって、前記ユニットケースの上面全周と前記コンタクトの裏面との間に通気性のある発泡樹脂材が配備され、前記発泡樹脂材によって前記ユニットケースが閉塞状態にされていることを特徴とする骨伝導スピーカユニットである。【００１１】
一実施形態においては、前記発泡樹脂材は、連続発泡構造の通気性のある低発泡、高密度、高反発材で、撥水処理したものとされる。
【発明の効果】
【００１２】
本発明は上記のとおりであって、本発明によれば、骨伝導スピーカを収納するユニットケース内が通気性のある弾性膜又は発泡樹脂材によって閉塞状態にされるため、鉄粉、塵芥の吸着や水分の浸入によって骨伝導スピーカが悪影響を受けるおそれがなく、また、弾性膜及び発泡樹脂材は通気性があるため、軟質ゴムシートのような通気性のない膜で被覆した場合に生ずるような気道音が発生しない、即ち、音漏れがないという効果がある。
【図面の簡単な説明】
【００１３】
【図１】本発明に係る骨伝導スピーカユニットの一実施形態の縦断面図である。
【図２】本発明に係る骨伝導スピーカユニットの他の実施形態の縦断面図である。
【図３】本発明に係る骨伝導スピーカユニットにおける骨伝導スピーカの構成例を示す分解斜視図である。
【図４】本発明に係る骨伝導スピーカユニットの有効性を確認するために行った音漏れ試験の結果を示すグラフである。
【図５】従来の骨伝導スピーカユニットの構成例を示す縦断面図である。
【図６】従来の骨伝導スピーカユニットの他の構成例を示す縦断面図である。
【発明を実施するための形態】
【００１４】
本発明を実施するための形態につき、添付図面を参照しつつ説明する。先ず、図１に示される、本発明に係る骨伝導スピーカユニットの第１の実施形態について説明する。そこに示されるように、本発明に係る骨伝導スピーカユニットは、上面を開口したユニットケース１内に骨伝導スピーカ２が収納され、骨伝導スピーカ２の振動板３上に振動を伝達するためのコンタクト４が配設されたマグネチックタイプの骨伝導スピーカユニットである。
【００１５】
例えば、骨伝導スピーカ２は、図３に示されるように、ヨーク１１の中央部に設けられたセンターポール１２を囲むようにボイスコイル１３が配置され、ボイスコイル１３の両側に、一対の棒状のマグネット１４、１４が定着され、ボイスコイル１３及びマグネット１４、１４に被せるように振動板３が配置される構成のものである。振動板３は、その両端部が、ヨーク１１の両端部に立設された側壁１５の上面にネジ１６で留め付けられて固定される。その際、振動板３とボイスコイル１３の上面との間に間隙が保持される（図１参照）。
【００１６】
ユニットケース１の上面開口は、通気性のある弾性膜５で閉塞される。この場合のコンタクト４は、弾性膜５を挟んで振動板３上のプレートヨーク１７に固定されることになる。この弾性膜５は、通気性を有すると共に、防水・防塵性を備えたものとされ、例えば、不織布又はメッシュクロスが用いられる。
【００１７】
不織布としては、アンビック株式会社の撥水処理されたヒメロン（登録商標）で、厚さ０．１５〜０．３５ｍｍ（ＨＮ６０３Ｂ〜６０６Ｂ）のものが好適である。また、超高分子量ポリエチレン多孔フィルムである日東電工株式会社のサンマップＬＣ（登録商標）で、厚さ０．１ｍｍのものも同様に使用可能である。また、メッシュシートとしては、例えば、ポリエステル網４２０メッシュ／２．５４ｃｍで、オープニングエリア２１％のメッシュクロスを用いることができる。
【００１８】
微鉄粉や塵芥の吸着、あるいは、水分の影響等の回避という観点からは、弾性膜として、通気性のない軟質ゴムシート等の方が優れているということができるが、本発明は同時に、骨伝導スピーカ２からの音漏れの改善を図ることを企図している。この観点からして弾性膜５は、通気性を有することが必要となるのである。
【００１９】
次いで、本発明に係る骨伝導スピーカユニットの第２の実施形態について説明する。この第２の実施形態は、図２に示されるように、上記第１の実施形態における弾性膜５の代わりに、ユニットケース１の上面全周とコンタクトの裏面との間に通気性のある発泡樹脂材６を配備したものであり、この発泡樹脂材６によってユニットケース１が閉塞状態にされる。
【００２０】
発泡樹脂材６としては、連続発泡構造の通気性のあるウレタン等の低発泡、高密度、高反発材で、撥水処理したものが用いられる。組み付け時は当該材料の持つ柔軟性を利用し、圧縮して挟み込む構造とすることができる。
【００２１】
本発明の有効性を確認するために、気道音の音漏れ試験を行った。この試験は、弾性膜５として、ポリエステル網４２０メッシュ／２．５４ｃｍ、オープニングエリア２１％の通気性メッシュシートを張設した、図１に示す本発明に係る骨伝導スピーカユニット（ユニット１）と、弾性膜５の代わりに非通気性の軟質ゴムシートを張設したもの（ユニット２）と、シートを張設しないもの（ユニット３、図６に示すもの）の３種を用意し、それぞれ大きめの入力を加え、ユニットから３ｃｍ離れた位置にマイクロホンを置いて漏れてくる気道音を測定する方法で行った。
【００２２】
図４はその結果を比較するグラフで、上述したように、シートを張設しないユニット３の場合が、最もよい結果を示している。通気性のある弾性膜５を張設した本発明に係るユニット１の場合は、通気性に欠けるシートを張設したユニット２に比較し、１．５ｋＨｚから２．５ｋＨｚの範囲において１０ｄＢ以上改善されていることが確認された（図４（Ａ））。１．５ｋＨｚから２．５ｋＨｚの周波数帯は、主に女性ボーカルの音声帯域のため、この帯域の音漏れは低いレベルであっても耳に付きやすいので、改善効果としては大きい。また、５ｋＨｚ以降では若干悪化しているが、その範囲はレベル自体が低く、音漏れと感じるレベルではないので問題はない。また、弾性膜５の代わりに発泡樹脂材６を配設したユニットの場合にも、同様の結果が得られた（図４（Ｂ））。
【００２３】
なお、５ｋＨｚ以降のレベルが若干悪化しているが、使用者が健聴者である場合、スピーカを耳の直近に配置して聴いているので、音漏れレベルとしては小さくても、気道音としての高域が音量アップして聞こえるため、結果として高域特性が改善されたことになる。
【産業上の利用可能性】
【００２４】
本発明に係る骨伝導スピーカユニットは、骨伝導スピーカ２を収納するユニットケース１内が通気性のある弾性膜５又は発泡樹脂材６によって閉塞状態にされるため、鉄粉、塵芥の吸着や水分の浸入によって骨伝導スピーカが悪影響を受けるおそれがない。また、弾性膜５及び発泡樹脂材６は通気性があるため、軟質ゴムシートのような通気性のない膜で被覆した場合に比較して、十分な音漏れ改善がなされるものであり、その産業上の利用可能性は大である。
【図１】
2018193790.tif 000003
【図２】
2018193790.tif 000004
【図３】
2018193790.tif 000005
【図４】
2018193790.tif 000006
【図５】
2018193790.tif 000007
【図６】
2018193790.tif 000008
【国際調査報告】
2018193790.tif 000009
2018193790.tif 000010
2018193790.tif 000011
2018193790.tif 000012